(57)【要約】【課題】回転と押込という異なる２つの操作を１つの操作体によって行うことができるとともに、これら２つの操作が誤操作されることを確実に防止できる複合操作型電気部品を提供する。【解決手段】操作体２をウエハ１に回転可能かつ押込可能に保持し、この操作体２を捩じりコイルばね４によって回転方向のセンタ位置に付勢する。ウエハ１の内底部７周囲に壁部８を立設して有底形状の収納空間を画成し、この壁部８に操作体２の回転範囲を規定する段部１４を形成するとともに、その中央位置に凹部１５を形成する。ウエハ１の収納空間をふた部材６で覆い、この収納空間の内部に操作体２の基部１７を配置するとともに、ウエハ１の外方へ突出する操作体２の操作部１８に突起２４を設ける。そして、操作体２の回転操作中は突起２４が壁部８の外側を移動することで押込操作を規制し、操作体２の押込操作中は突起２４が凹部１５に入り込むことで回転操作を規制するようにした。【選択図】図１
2006179501.tif 000002
【特許請求の範囲】
【請求項１】
内底部に回転検出用および押込検出用の各固定接点が配設されたウエハと、このウエハに支軸を中心に回転可能かつ該支軸の軸線と直交する方向へ押込可能に保持された操作体と、この操作体を回転方向のセンタ位置に復帰させるばね部材と、前記操作体に設けられ前記固定接点に接離可能な可動接点とを備え、
前記ウエハの内底部の周囲に壁部を立設して有底形状の収納空間を画成し、この壁部に前記操作体の回転範囲を規定する凹状の段部を設けるとともに、この段部の中央位置に前記ウエハの内底部方向へ窪む凹部を設け、前記操作体の一部を前記収納空間の内部に配置して該収納空間の開口端をふた部材で覆うとともに、前記収納空間から前記凹部を挿通して前記ウエハの外方へ突出する前記操作体の他部に突起を設け、この突起を前記操作体の回転操作時に前記壁部の外側に対向させて該操作体の押込操作を規制し、前記操作体のセンタ位置で前記突起が前記凹部内へ挿入許可されるように構成したことを特徴とする複合操作型電気部品。
【発明の詳細な説明】
【技術分野】
【０００１】
本発明は、例えばビデオカメラや携帯電話などに備えられ、回転操作と押込操作という異なる２つの操作によってそれぞれ電気信号を出力する複合操作型電気部品に関するものである。
【背景技術】
【０００２】
従来より、携帯電話などにおいては、回転操作型電気部品であるロータリスイッチと押込操作型電気部品であるタクトスイッチとを互いに近接して別々に配設し、ロータリスイッチから出力される第１の電気信号によって、例えば所望の電話番号を選択し、タクトスイッチから出力される第２の電気信号によって、例えば呼び出しモードを設定して前記選択した電話番号を自動ダイヤルするようにしたものが知られている。
【発明の開示】
【発明が解決しようとする課題】
【０００３】
しかしながら、前述した従来技術にあっては、回転操作型電気部品（ロータリスイッチ）と押込操作型電気部品（タクトスイッチ）とを別々に配設してあるため、これら２つの電気部品を並設するのに収納スペースが嵩張るという問題があった。また、複合操作する際に、使用者の任意の指でロータリスイッチの操作体を指で回転操作してから、その指を移動してタクトスイッチの操作体を押込操作しなければならないため、操作性が悪いという問題もあった。
【０００４】
本発明は、このような従来技術の実情に鑑みてなされたもので、その目的は、回転と押込という異なる２つの操作を１つの操作体によって行うことができるとともに、これら２つの操作が誤操作されることを確実に防止できる複合操作型電気部品を提供することにある。
【課題を解決するための手段】
【０００５】
上記の目的を達成するために、本発明の複合操作型電気部品は、内底部に回転検出用および押込検出用の各固定接点が配設されたウエハと、このウエハに支軸を中心に回転可能かつ該支軸の軸線と直交する方向へ押込可能に保持された操作体と、この操作体を回転方向のセンタ位置に復帰させるばね部材と、前記操作体に設けられ前記固定接点に接離可能な可動接点とを備え、前記ウエハの内底部の周囲に壁部を立設して有底形状の収納空間を画成し、この壁部に前記操作体の回転範囲を規定する凹状の段部を設けるとともに、この段部の中央位置に前記ウエハの内底部方向へ窪む凹部を設け、前記操作体の一部を前記収納空間の内部に配置して該収納空間の開口端をふた部材で覆うとともに、前記収納空間から前記凹部を挿通して前記ウエハの外方へ突出する前記操作体の他部に突起を設け、この突起を前記操作体の回転操作時に前記壁部の外側に対向させて該操作体の押込操作を規制し、前記操作体のセンタ位置で前記突起が前記凹部内へ挿入許可されるように構成した。
【０００６】
このように構成された複合操作型電気部品では、操作体をセンタ位置から回転操作することによって可動接点が回転検出用の固定接点に接触し、操作体をセンタ位置で押込操作することによって可動接点が押込検出用の固定接点に接触するため、１つの操作体によって回転操作と押込操作という異なる２つの操作を行うことができ、しかも、操作体の回転操作中に突起が壁部に設けた段部の外側を移動することで押込操作が規制され、操作体の押込操作中に突起が段部の中央位置に設けた凹部に入り込むことで回転操作が規制されるため、簡単な構成で操作体の誤操作を確実に防止することができ、さらに、収納空間の開口端をふた部材で覆うことで内部構造を保護しつつ組立作業を容易に行うことができる。
【発明の効果】
【０００７】
本発明の複合操作型電気部品は、操作体をセンタ位置から回転操作することによって可動接点が回転検出用の固定接点に接触し、操作体をセンタ位置で押込操作することによって可動接点が押込検出用の固定接点に接触するため、１つの操作体によって回転操作と押込操作という異なる２つの操作を行うことができ、しかも、操作体の回転操作中に突起が壁部に設けた段部の外側を移動することで押込操作が規制され、操作体の押込操作中に突起が段部の中央位置に設けた凹部に入り込むことで回転操作が規制されるため、簡単な構成で操作体の誤操作を確実に防止することができ、さらに、収納空間の開口端をふた部材で覆うことで内部構造を保護しつつ組立作業を容易に行うことができる。
【発明を実施するための最良の形態】
【０００８】
以下、発明の実施の形態を図面を参照して説明すると、図１は本発明の実施形態例に係る複合操作型電気部品の透視図、図２は該複合操作型電気部品を回転操作した状態を示す透視図、図３は該複合操作型電気部品を押込操作した状態を示す透視図、図４は該複合操作型電気部品の分解斜視図、図５は該複合操作型電気部品の組立斜視図、図６は該複合操作型電気部品に備えられるウエハの平面図である。
【０００９】
本実施形態例の複合操作型電気部品は、図４に示すように、上部開口１ａを有する合成樹脂製のウエハ１と、このウエハ１に回転可能かつ押込可能に保持された操作体２と、この操作体２の下面に固定された導電性弾性板からなる摺動子３と、中央の巻回部４ａの両端から一対の腕部４ｂ，４ｃが突出する捩じりコイルばね４と、ウエハ１内に配置されたクリック板５と、ウエハ１の上部開口１ａを覆うふた部材６とから主として構成されている。
【００１０】
図６に示すように、前記ウエハ１は略円形の内底部７とこの内底部７の周囲に全周にわたって立設された壁部８とを備えており、壁部８には一対の係合段部８ａ，８ｂが形成されている。これら内底部７と壁部８によって有底形状の収納空間が画成されており、この収納空間の上端がウエハ１の上部開口１ａとなっている。内底部７の中央には操作体２を軸支する支軸９が立設されており、支軸９の押込方向の手前側（図６の上側）には、この押込方向に対して垂直な平面９ａが形成されている。また、内底部７には、操作体２の回転方向に沿って形成された回転検出用の固定接点１０，１１と、これら固定接点１０，１１に対して押込方向の奥行き側（図６の下側）に位置する押込検出用の固定接点１２と、支軸９をはさんで固定接点１２の反対側に位置し、操作体２の回転方向および押込方向に沿って形成されたコモン用の固定接点１３とが一体成形されている。これら固定接点１０〜１３は、それぞれ外部端子１０ａ〜１３ａとしてウエハ１の壁部８から側方へ突出している。前記壁部８の押込方向の手前側は支軸９を中心にして円弧状に形成されており、この円弧状部分に段部１４が形成されている。この段部１４は操作体２の回転範囲を規定するもので、段部１４の中央部分には内底部７の方向へ窪んだ凹部１５が形成されている。また、壁部８の押込方向の奥行き側（図６の下側）に取付孔１６が穿設されている。
【００１１】
前記操作体２は左右対称形状に一体的に構成されており、図４に示すように、ウエハ１の収納空間（内底部７と壁部８で囲まれた部分）内に配置される基部１７と、ウエハ１から突出する操作部１８と、これら基部１７と操作部１８を連結する連結部１９とを有し、連結部１９はウエハ１の段部１４に挿通されている。基部１７の中央に円筒状のボス２１が立設されており、このボス２１に穿設された長孔２０は操作体２の押込方向に延び、この長孔２０に前記支軸９が挿通されている。また、この長孔２０の周囲に環状溝１７ａが形成されており、この環状溝１７ａからそれぞれ斜め上方向に向かって一対の係合溝２２，２３が形成されている。図１に示すように、前記捩じりコイルばね４の巻回部４ａはボス２１に巻掛けられて環状溝１７ａ内に位置しており、両腕部４ｂ，４ｃは係合溝２２，２３を通ってウエハ１の係合段部８ａ，８ｂに係止されている。さらに、前記長孔２０の押込方向の手前側には、この長孔２０の長手方向に対して垂直な平面２０ａが形成されており、図１に示す操作体２の非操作時や図２に示す回転操作時に、長孔２０の平面２０ａと支軸９の平面９ａとは離れた状態に保たれ、一方、図３に示す操作体２の押込操作時に、該平面２０ａと平面９ａとは当接する。
【００１２】
前記操作部１８は基部１７を中心として円弧状に形成されており、この操作部１８の中央の内側には突起２４が形成されている。図２に示す操作体２の回転操作時に、この突起２４はウエハ１の段部１４の外側を移動するが、図３に示す操作体２のセンタ位置での押込操作時に、突起２４はウエハ１の凹部１５内を移動するようになっている。
【００１３】
前記摺動子３は、基部１７の下面に取付けられる一対の取付部２５，２６と、これら取付部２５，２６間に形成された一対の摺接部２７，２８とを有し、これらは一体的に左右対称形状に構成されている。各摺接部２７，２８の中央に下方に突出する可動接点２７ａ，２８ａがそれぞれ形成されており、一方の可動接点２８ａは前記コモン用固定接点１３と常時接触している。なお、図１〜図３において、可動接点２７ａ，２８ａの相対的位置の説明を容易にするため、可動接点２７ａ，２８ａをそれぞれ内部にハッチングを施した楕円および円で示すとともに、前記固定接点１０〜１３および外部端子１０ａ〜１３ａをそれぞれ二点鎖線で示してある。
【００１４】
前記ふた部材６には複数の係止部２９が形成されており、これら係止部２９をウエハ１の壁部８に沿って挿入し、その先端を折り曲げてウエハ１の下面に係止することにより、図５に示すように、ウエハ１の上部開口１ａがふた部材６によって覆われている。
【００１５】
上記実施形態例にあっては、図１に示す操作体２の非操作時に、捩じりコイルばね４の両腕部４ｂ，４ｃがウエハ１の係合段部８ａ，８ｂにそれぞれ係止され、巻回部４ａが操作体２のボス２１に巻掛けられているため、操作体２に対して捩じりコイルばね４からセンタ位置への復帰力が付与されている。このとき、操作体２の突起２４はウエハ１の凹部１５と対向するとともに、操作体２の長孔２０の平面２０ａと支軸９の平面９ａとは離れている。また、摺動子３の可動接点２８ａはコモン用の固定接点１３に常時接触しているが、他の可動接点２７ａは他の固定接点１０〜１２のいずれにも接触していないため、ロータリスイッチとプッシュスイッチは共にオフ状態となっている。
【００１６】
この状態で操作体２の操作部１８を反時計方向に回転操作すると、図２に示すように、操作体２に連動して摺動子３も支軸９を中心にして回転し、摺動子３の可動接点２７ａが回転検出用の一方の固定接点１１に接触するため、外部端子１１ａとコモン用外部端子１３ａとが導通し、ロータリスイッチのみがオン状態となって第１の電気信号が出力される。このとき、捩じりコイルばね４の一方の腕部４ｂはウエハ１の係合段部８ａに係止されているが、他の腕部４ｃは操作体２の係合溝２３の端部により回転方向に押圧されて係合段部８ｂから離れるため、これら腕部４ｂ，４ｃが閉じる方向に圧縮されることにより、操作体２に対してセンタ位置への復帰力が付与される。また、操作部１８を手放すと、操作体２は捩じりコイルばね４の付勢力で時計方向に回転して図１に示すセンタ位置まで自動的に戻り、可動接点２７ａが回転検出用の固定接点１１から離れるため、ロータリスイッチは再びオフ状態となる。なお、操作体２の回転操作中に、突起２４は凹部１５から離れて段部１４の外側を移動するため、操作体２の回転操作時に誤って押込方向の力が作用しても、突起２４が段部１４に当接して操作体２を押込むことができないため、操作体２の誤操作を防止できる。
【００１７】
同様に、操作体２を時計方向に回転操作した場合も、摺動子３の可動接点２８ａがコモン用固定接点１３に常時接触するとともに、他の可動接点２７ａが回転検出用の他方の固定接点１０に接触するため、外部端子１０ａとコモン用外部端子１３ａとが導通し、ロータリスイッチのみがオン状態となって第１の電気信号が出力される。
【００１８】
また、図１に示す操作体２の非操作状態から操作部１８をウエハ１の方向へ押込むと、図３に示すように、操作体２および摺動子３が長孔２０の長手方向へ一体的に移動する。これに伴って、クリック板５が基部１７に押圧されて座屈変形するため、クリック（節度）感が生起されるとともに、摺動子３の可動接点２７ａが押込検出用の固定接点１２に接触するため、外部端子１２ａとコモン用外部端子１３ａとが導通し、プッシュスイッチのみがオン状態となって第２の電気信号が出力される。このとき、前記捩じりコイルばね４の両腕部４ｂ，４ｃはウエハ１の係合段部８ａ，８ｂに係止されているが、巻回部４ａが操作体２のボス２１によって押込方向に移動するため、これら腕部４ｂ，４ｃが閉じる方向に圧縮されることにより、操作体２に対してセンタ位置への復帰力が付与される。また、操作部１８を手放すと、操作体２は捩じりコイルばね４の付勢力で上昇して図１に示すセンタ位置まで自動的に戻り、可動接点２７ａが押込検出用の固定接点１２から離れる、プッシュスイッチは再びオフ状態となる。なお、操作体２の押込操作中に、突起２４は凹部１５の内部を移動するため、操作体２の押込操作時に誤って回転方向の力が作用しても、突起２４が凹部１５の壁面に当接して操作体２を回転することができないため、この場合も操作体２の誤操作を防止できる。
【図面の簡単な説明】
【００１９】
【図１】本発明の実施形態例に係る複合操作型電気部品の透視図である。
【図２】該複合操作型電気部品を回転操作した状態を示す透視図である。
【図３】該複合操作型電気部品を押込操作した状態を示す透視図である。
【図４】該複合操作型電気部品の分解斜視図である。
【図５】該複合操作型電気部品の組立斜視図である。
【図６】該複合操作型電気部品に備えられるウエハの平面図である。
【符号の説明】
【００２０】
１  ウエハ
１ａ  開口
２  操作体
３  摺動子
４  捩じりコイルばね（ばね部材）
４ａ  巻回部
４ｂ，４ｃ  腕部
６  ふた部材
７  内底部
８  壁部
８ａ，８ｂ  係合段部
９  支軸
１０，１１  回転検出用固定接点
１２  押込検出用固定接点
１３  コモン用固定接点
１４  段部
１５  凹部
１７  基部
１８  操作部
１９  連結部
２４  突起
２７ａ，２８ａ  可動接点
【図１】
2006179501.tif 000003
【図２】
2006179501.tif 000004
【図３】
2006179501.tif 000005
【図４】
2006179501.tif 000006
【図５】
2006179501.tif 000007
【図６】
2006179501.tif 000008